【事件の表示】
　特願２０１４−１８６９０４「静電容量タッチパネル」拒絶査定不服審判事件〔平成２７年　１月２２日出願公開、特開２０１５−　１５０４２、請求項の数（１６）〕について、次のとおり審決する。
【結　論】
　原査定を取り消す。
　本願の発明は、特許すべきものとする。
【理　由】
　
第１　手続の経緯
　本願は、平成２１年２月１８日（パリ条約による優先権主張　２００８年２月１８日　台湾）を出願日とする特願２００９−３４９７５号の一部を、平成２５年２月８日に新たな特許出願として出願した特願２０１３−２３２３５号の一部を、平成２６年９月１２日に新たな特許出願として出願したものであって、平成２７年１０月７日付けで拒絶理由通知がされ、平成２８年２月１２日付けで意見書が提出されたが、同年６月１０日付けで拒絶査定（原査定）がされ、これに対し、同年１０月１４日に拒絶査定不服審判の請求がされたものである。
第２　原査定の概要
　原査定（平成２８年６月１０日付け拒絶査定）の概要は次のとおりである。
　本願請求項１，２，４〜１１，１４〜１６に係る発明は、以下の引用文献１〜３に基づいて、その発明の属する技術の分野における通常の知識を有する者（以下、「当業者」という。）が容易に発明をすることができたものであるから、特許法第２９条第２項の規定により特許を受けることができない。
　本願請求項３に係る発明は、以下の引用文献１〜３，５に基づいて当業者が容易に発明をすることができたものであるから、特許法第２９条第２項の規定により特許を受けることができない。
　本願請求項１２，１３に係る発明は、以下の引用文献１〜４に基づいて当業者が容易に発明をすることができたものであるから、特許法第２９条第２項の規定により特許を受けることができない。
引用文献等一覧
引用文献１．特表２００７−５３３０４４号公報
引用文献２．特開昭６０−７５９２７号公報
引用文献３．登録実用新案第３１３４９２５号公報
引用文献４．特開２００５−３３７７７３号公報
引用文献５．特開２００５−１７３９７０号公報
第３　本願発明
　本願請求項１〜１６に係る発明（以下、それぞれ「本願発明１」〜「本願発明１６」という。）は、願書に最初に添付した特許請求の範囲の請求項１〜１６に記載された事項により特定される以下のとおりのものである。
「【請求項１】
　一体に形成された静電容量タッチパネルであって、
　物理的触覚入力を受ける第１の表面と、第２の表面とを有する単一基板と、
　センシング領域を規定するよう、前記単一基板の前記第２の表面の外周部に形成されたマスク層と、
　前記物理的触覚入力を検出するセンス回路と、
を含み、
　前記センス回路が
　第１のセンス回路と、
　交差エリアにおいて前記第１のセンス回路と交差する第２のセンス回路と、
　前記第１のセンス回路と前記第２のセンス回路とを絶縁する絶縁層と、を備え、
　前記絶縁層が前記交差エリアのみに形成され、
　前記マスク層、前記第１のセンス回路、前記第２のセンス回路、及び前記絶縁層が前記単一基板の前記第２の表面に一体に形成されている静電容量タッチパネル。
【請求項２】
　前記センス回路が前記マスク層に結合されている請求項１に記載の一体に形成された静電容量タッチパネル。
【請求項３】
　一体に形成された静電容量タッチパネルであって、
　物理的触覚入力を受ける第１の表面と、第２の表面とを有する単一基板と、
　センシング領域を規定するよう、前記単一基板の前記第１の表面の外周部に形成されたマスク層と、
　前記物理的触覚入力を検出するセンス回路と、
を含み、
　前記センス回路が
　第１のセンス回路と、
　交差エリアにおいて前記第１のセンス回路と交差する第２のセンス回路と、
　前記第１のセンス回路と前記第２のセンス回路とを絶縁する絶縁層と、を備え、
　前記絶縁層が前記交差エリアのみに形成され、
　前記第１のセンス回路、前記第２のセンス回路、及び前記絶縁層が前記単一基板の前記第２の表面に一体に形成され、
　前記マスク層が前記単一基板の前記第１の表面に一体に形成されている静電容量タッチパネル。
【請求項４】
　前記第１のセンス回路が前記単一基板の前記第１の表面が受けた物理的触覚入力を検出して、前記物理的触覚入力に応じた第１の軸方向のセンス信号を出力し、
　前記第２のセンス回路が前記物理的触覚入力に応じた第２の軸方向のセンス信号を出力する請求項１〜３のいずれか１項に記載の静電容量タッチパネル。
【請求項５】
　前記絶縁層が透明である請求項１〜４のいずれか１項に記載の静電容量タッチパネル。
【請求項６】
　前記第１のセンス回路及び前記第２のセンス回路がそれぞれ、
　前記物理的触覚入力を検出するためにセンシング領域に対応する領域内に設けられた透明な導電性電極と、
　前記領域の外側に形成され、前記マスク層によって覆われたメタルトレースとを備えている請求項１〜５のいずれか１項に記載の静電容量タッチパネル。
【請求項７】
　前記メタルトレースが前記マスク層の表面に形成されている請求項６に記載の一体に形成された静電容量タッチパネル。
【請求項８】
　前記導電性電極が、前記単一基板の前記第１の表面が受けた前記物理的触覚入力による静電容量効果で生成され、タッチされた位置に対応する容量センス信号を出力する、請求項６、又は７に記載の一体に形成された静電容量タッチパネル。
【請求項９】
　タッチされた位置の座標を検出又は算出するために前記容量センス信号が前記メタルトレースに沿ってプロセッサに転送される、請求項８に記載の一体に形成された静電容量タッチパネル。
【請求項１０】
　前記導電性電極が透明導電物質によって形成される、請求項６〜９のいずれか１項に記載の一体に形成された静電容量タッチパネル。
【請求項１１】
　前記マスク層が、ブラックレジスト物質又は他の不透明なコーティング物質によって形成される、請求項１〜１０のいずれか１項に記載の一体に形成された静電容量タッチパネル。
【請求項１２】
　ノイズ信号を防止するシールド層をさらに備え、
　前記シールド層が前記単一基板と前記マスク層との間に配置されている請求項１〜１１のいずれか１項に記載の一体に形成された静電容量タッチパネル。
【請求項１３】
　前記シールド層の幅が前記マスク層と略同じである請求項１２に記載の静電容量タッチパネル。
【請求項１４】
　前記単一基板がガラス物質又はプラスチック物質によって形成されている請求項１〜１３のいずれか１項に記載の一体に形成された静電容量タッチパネル。
【請求項１５】
　前記一体に形成された静電容量タッチパネルは、表示パネル上に直接、配置できる請求項１４に記載の一体に形成された静電容量タッチパネル。
【請求項１６】
　前記センス回路の表面上に一体に形成される保護膜と、
　前記保護膜上に配置され、表示パネルと接合する接着層と、
　をさらに含む、請求項１５のいずれか１項に記載の一体に形成された静電容量タッチパネル。」
　本願発明２は、本願発明１を減縮した発明である。
　本願発明３は、本願発明１の「単一基板の第２の表面の外周部に形成されマスク層」を「単一基板の第１の表面の外周部に形成されたマスク層」に置き換えた発明である。
　本願発明４−１６は、それぞれ本願発明１〜３を減縮した発明である。
第４　引用文献、引用発明等
１　引用文献１について
　原査定の拒絶の理由に引用された上記引用文献１には、次のア〜ウのとおりの記載がある。下線は、注目箇所に当審が付した。以下、同様。
ア
「【００５２】
　図９は、本発明の別の実施形態による透明なマルチポイント・タッチ・スクリーン１５０を示す平面図である。例えば、一般にタッチ・スクリーン１５０は、図２や図４のタッチ・スクリーンに相当する。図６〜図８に示されているタッチ・スクリーンとは異なり、図９のタッチ・スクリーンは、自己静電容量ではなく
相互静電容量
タッチ・スクリーン１５０は、空間的に分離されたラインまたはワイヤ１５２の２つの層のグリッドを含む。ほとんどの場合、それぞれの層の上のライン１５２は互いに平行である。さらに、別々の層の上のライン１５２は、別々の平面内にあるが、容量感知ノード１５４を形成するために交差するように、すなわち交わるように構成されており
【００５３】
　詳細に述べると、
別々の層の上のライン１５２は２つの異なる機能を果たす。ライン１５２Ａの１つのセットが、それらの間を通る電流を駆動し、その一方でライン１５２Ｂの第２のセットが、ノード１５４のそれぞれにおける静電結合を感知する。
上の層が駆動ライン１５２Ａとなり、その一方で下の層が感知ライン１５２Ｂとなる。
【００５４】
　駆動されると、駆動ライン１５２Ａ上の電荷はノード１５４を通じて交差している感知ライン１５２Ｂへ静電結合し、容量感知回路は、感知ライン１５２Ｂのすべてを並行して感知する。その後、次の駆動ライン１５２Ａが駆動され、次の駆動ライン１５２Ａ上の電荷がノード１５４を通じて、交差している感知ライン１５２Ｂへ静電結合し、容量感知回路が感知ライン１５２Ｂのすべてを並行して感知する。これは、すべてのライン１５２Ａが駆動されるまで順次行われる。すべてのライン１５２Ａが駆動されると、シーケンスは、再び最初から開始する（継続的に繰り返す）。ほとんどの場合、ライン１５２Ａは、一方の側から反対側へ順次駆動される。」
イ
「【００８５】
　図１８、図１９は、本発明の複数の実施形態による電子デバイス３５０を示す側面図である。
電子デバイス３５０は、ＬＣＤディスプレイ３５２と、そのＬＣＤディスプレイ３５２の上に配置されている透明なタッチ・スクリーン３５４とを含む。タッチ・スクリーン３５４は、保護シート３５６と、１つまたは複数の感知層３５８と、底面のガラス部材３６０とを含む。この実施形態においては、底面のガラス部材３６０はＬＣＤディスプレイ３５２の前面のガラスである。
感知層３５８を感知回路（図示せず）へ結合するための複数の相互接続をタッチ・スクリーンの縁部に含む。
【００８６】
　図示されているように、ＬＣＤディスプレイ３５２とタッチ・スクリーン３５４は、筐体３６４内に配置されている。筐体３６４は、これらのコンポーネントを電子デバイス３５０内のそれらの組み立てられた位置において覆って支持する役割を果たす。筐体３６４は、ＬＣＤディスプレイ３５２とタッチ・スクリーン３５４とを配置するためのスペースと開口部３６６を提供し、これによって、筐体３６４を通してディスプレイ・スクリーンを見ることができる。一実施形態においては、図１８に示されているように、
筐体３６４は、ＬＣＤディスプレイ３５２とタッチ・スクリーン３５４の側部を覆うための外面３７０を含む。あまり詳細には図示されていないが、外面３７０は、ＬＣＤディスプレイ３５２とタッチ・スクリーン３５４の全外周のまわりに配置されている。外面３７０は、相互接続を隠してＬＣＤディスプレイ３５２とタッチ・スクリーン３５４のアクティブなエリアのみを視界に残す役割を果たす。
【００８７】
　別の実施形態においては、図１９に示されているように、
筐体３６４は、外面３７０ではなくマスク３７２を含み、このマスク３７２は、筐体３６４の側部の間に延びるタッチ・スクリーン３５４の上面のガラス３７４（当審注：「３５６」の誤記と認める。）の内側部分に印刷される。
マスク３７２は高温の黒いポリマーから形成され
タッチ・スクリーン３５４は、相互静電容量の感知に基づいており、したがって感知層３５８は、駆動ライン３７６と感知ライン３７８を含む。駆動ライン３７６は上面のガラス３５６とマスク３７２の上に配置されており、感知ライン３７８は底面のガラス３６０の上に配置されている。駆動ライン３７６と感知ライン３７８はスペーサ３８０を介して互いに絶縁されている。
ウ
　上記下線部の記載、及び図１９によれば、引用文献１には、次の発明（以下、「引用発明」という。）が記載されているといえる。
「高温の黒いポリマーから形成されたマスク層３７２が内側部分に印刷された上面のガラス３５６と、
　相互静電容量の感知による感知層３５８が、駆動ライン３７６と感知ライン３７８を含み、駆動ライン３７６は上面のガラス３５６とマスク３７６の上に配置され、感知ライン３７８は底面のガラス３６０上に配置され、駆動ライン３７６と感知ライン３７８はスペーサ３８０を介して互いに絶縁された、タッチ・スクリーン３５４と、
　ＬＣＤディスプレイ３５２とを含み、
　感知層３５８を感知回路へ結合するための相互接続をタッチ・スクリーン縁部に含み、マスク層は、相互接続を隠してＬＣＤディスプレイ３５２とタッチ・スクリーン３５４のアクティブなエリアのみを視界に残す役割を果たす、
電子デバイス。」
２　引用文献２について
　原査定の拒絶の理由に引用された上記引用文献２には、次のとおりの記載がある。
「第２図は本発明の一実施例全体構成図であり、図中、１０は
センサパネル
ガラス等の透明基板１００上にｍ本のＸ側透明導電線路（以下Ｘ電極と称す）１０１ａ〜１０１ｍが互いに平行に配設され、更にＸ電極群１０１ａ〜１０１ｍと交叉する様にｎ本のＹ側透明導電線路（以下Ｙ電極と称す）１０２ａ〜１０２ｎが互いに平行に配設されている。Ｘ電極群１０１ａ〜１０１ｍとＹ電極群１０２ａ〜１０２ｎとは互いに絶縁されて設けられている。
　次に第２図実施例構成の動作について第４図の各部波形図に基いて説明する。
クロックパルスＣＬがＸ及びＹ側走査回路１１、１３に入力されると、Ｘ側ドライブ回路１２から各Ｘ電極１０１ａ〜１０１ｍに各々駆動信号Ｘ１、Ｘ２・・・Ｘｍが順次印加され、同様にＹ側ドライブ回路１４から各Ｙ電極　１０２ａ〜１０２ｎに各々駆動信号Ｙ１、Ｙ２・・・Ｙｍが順次印加される。
　センサパネル１０に指等が触られていない状態ではＸ側加算回路１５の出力Ｘ０は、オペアンプ１５ａがインバータとして働くため、実線の如く、駆動信号Ｘ１、Ｘ２・・・Ｘｍの単純和の反転極性をもつ−Ｖで一定しており、同様にＹ側加算回路１６の出力Ｙ０も実線の如く、駆動信号Ｙ１、Ｙ２・・・Ｙｎの単純和の反転極性をもつ−Ｖで一定している。
　この状態で人の指等がセンサパネル１０の所望の位置に触れると、その位置のＸ電極（例えば１０１ｋ）とＹ電極（例えば１０２ｌ）に指等が触れ、人体の持つ静電容量が付与される。このため、Ｘ電極１０１ｋ及びＹ電極１０２ｌに印加された駆動信号Ｘｋ、Ｙｌは波形の立上りがなまった形で各加算抵抗Ｒ１ｋ、Ｒ２ｌに伝えられる。このため、加算回路１５の出力ＸＯはＸ電極１０１ｋの走査に対応する時間位置ｔｘｏにおいて点線で示す如く波形歪ｐｘｏが生じ、同様に加算回路１６の出力ＹＯはＹ電極１０２ｌの走査に対応する時間位置ｔｙｏにおいて点線で示す如く波形歪ｐｙｏを生ずる。位置検出回路１７は出力ＸＯ、ＹＯを所定のスライスレベルでスライスし、歪信号ｐｘｏ、ｐｙｏを取り出し、この歪信号ｐｘｏ、ｐｙｏが走査開始時点ｔｓからどの時間位置ｔｘｏ、ｔｙｏにあるかを計数し、これによって触れられた電極１０１ｋ、１０２ｌの交点のＸ座標及びＹ座標を得る。従って、歪信号ｐｘｏ、ｐｙｏの時間位置ｔｘｏ、ｔｙｏを測定することによってセンサパネル１０上の指定位置を検出することができる。
　第５図は第２図構成のセンサパネル１０の詳細図であり、第５図（Ａ）に示す如く透明基板１００上にＸ電極１０１とＹ電極１０２とが透明導電膜（例えばＳｎＯ２、Ｉｎ２Ｏ３）が１０００Åオーダのスパッタ等の方法によって形成される。
第５図（Ｂ）の部分詳細図に示す如く、Ｘ電極１０１とＹ電極１０２との交叉位置においては、Ｘ電極１０１とＹ電極１０２との間にＳｉＯ
２
等から成る透明絶縁膜１０３が１０００Åオーダのスパッタ等の方法で形成される。
　下線部の記載によれば、引用文献２には、「ガラス等の透明基板上にｍ本の透明のＸ電極を互いに平行に配設し、Ｘ電極群と交叉するようにｎ本の透明のＹ電極を互いに平行に配設し、Ｘ電極群とＹ電極群との交叉部分に透明絶縁膜を設けたセンサパネル。」という技術的事項が記載されているといえる。
３　引用文献３について
　原査定の拒絶の理由に引用された上記引用文献３には、次のとおりの記載がある。
「【０００９】
第１図は本考案
静電容量式タッチパッドのタッチ模様構造
基板１の基板表面１１にタッチ模様構造１２を設ける
タッチ模様構造１２は第一軸方向導電グループ１３、第二軸方向導電グループ１４をそれぞれ具備しており、かつ当該第一軸方向導電グループ１３は当該第二軸方向導電グループ１４に垂直する。
【００１０】
各々の第一軸方向導電グループ１３は複数の第一軸方向導電ユニット１３１からなり、各々の第一軸方向導電ユニット１３１は第一軸方向Ｘに等距離間隔で当該基板１の基板表面１１に設けられており、かつ隣接する第一軸方向導電グループ１３のあいだと隣接する二つの第一軸方向導電ユニット１３１のあいだのエリアには第二軸方向導電ユニット配置スペース１５がそれぞれ定義されている。
【００１１】
当該各々隣接する第一軸方向導電ユニット１３１のあいだは複数の第一軸方向導電線１３２より連結され、よって同一の第一軸方向導電グループ１３中の各々の第一軸方向導電ユニット１３１を電気接続する。当該同一の第一軸方向導電グループ１３中の各々の第一軸方向導電ユニット１３１は幾つかの第一軸方向導電線１３２より直列接続され、信号伝送線１６ａ経由で信号を回路板（図面では表示されていない）の制御回路に伝送する。
【００１２】
当該
各々の第一軸方向導電線１３２の導電線表面１３３には絶縁被覆層１７がそれぞれ覆設されている。
透明の絶縁材料
【００１３】
当該各々の隣接する第二軸方向導電ユニット１４１のあいだは第二軸方向導電線１４２より接続されており、かつ当該第二軸方向導電線１４２は当該絶縁被覆層１７の表面を横断して同一の第二軸方向導電グループ１４中の各々の第二軸方向導電ユニット１４１を接続している。当該同一の第二軸方向導電グループ１４中の各々の第二軸方向導電ユニット１４１は幾つかの第二軸方向導電線１４２より直列接続され、信号伝送線１６ｂ経由で信号を制御回路に伝送する。
【００１４】
第３図は第２図中の３-３断面の断面図であり、第４図は第２図中の４-４断面の断面図である。当該第一軸方向導電ユニット１３１、第一軸方向導電線１３２、第二軸方向導電ユニット１４１、第二軸方向導電線１４２は透明導電材料で製作したものである。当該
第一軸方向導電線１３２と第二軸方向導電線１４２のあいだに設けられている絶縁被覆層１７より、各々の第二軸方向導電グループ１４中の各々の隣接する第二軸方向導電ユニット１４１のあいだの第二軸方向導電線１４２が対応する第一軸方向導電線１３２を交差する時お互いに絶縁される
【００１５】
当該基板１はガラス基板を採用することが可能であり、当該タッチ模様構造１２の第一軸方向導電グループ１３と第二軸方向導電グループ１４及び第一、第二軸方向導電線１３２、１４１は透明導電フィルム（例えば酸化インジウムスズＩＴＯ導電層）を採用している。
　下線部の記載によれば、引用文献３には、「ガラス基板の基板表面に、透明な第一軸方向同電線と、透明な第二軸方向導電線とを設け、第一軸方向導電線のグループと第２軸方向導電線のグループとは、互いに直交し、第一軸方向導電線と第二軸方向導電線との間には、絶縁被覆層を設けた静電容量式タッチパッド。」という技術的事項が記載されているといえる。
４　引用文献４について
　原査定の拒絶の理由に引用された上記引用文献４には、「静電容量式の検出装置」（発明の名称）について、次のとおりの記載がある。
「【００３２】
　ここで前記図２の第１の実施の形態に示す検出装置では、
前記センシング領域Ａに隣接する引回し領域Ｂｙに、静電防護手段としてのシールド部材３１が設け
【００３３】
　前記シールド部材３１は、少なくとも前記被検出体が接近しやすい前記センシング領域Ａの近傍を覆った構成が好ましく、より好ましくは前記Ｙ電極ｙ１，ｙ１，・・・，ｙｎの端部である延長線Ｙａが、センシング領域Ａから外れた位置から前記切換え手段２１Ｙに接続されるまでの間の全長を覆うようにしたものである。なお、さらに優れた効果を期待することができる点では、前記シールド部材３１を接地しおくことが好ましい。
【００３４】
　このように、
シールド部材３１により延長部Ｙａを覆うことにより、被検出体が引回し領域に接近したときに、前記被検出体と引回し領域Ｂｙに配線されている前記延長線Ｙａとの間に誘電束が発生することがなく、両者の間に静電容量が形成されるのを防止できる。
　下線部の記載によれば、引用文献４には、「静電容量式の検出装置のセンシング領域と隣接する引回し領域に、シールド部材を設けることにより、被件検出体と引回し領域に配線された延長線との間に静電容量が形成されるのを防止する。」という技術的事項が記載されているといえる。
５　引用文献５について
　原査定の拒絶の理由に引用された上記引用文献５には、次のア，イのとおりの記載がある。
ア
「【００２０】
　
上側透光性基板３１の内面側（下側透光性基板３２側）の外周部には加飾印刷層４１が形成されている。
　加飾印刷層４１を形成する範囲は、下側印刷回路（第１の印刷回路）３７と後述の上側印刷回路（第２の印刷回路）３８の上方位置であり、このタッチパネル３０を上側透光性基板３１側（第２の透光性基板の操作面側）から見たときに、下側印刷回路（第１の印刷回路）３７と後述の上側印刷回路（第２の印刷回路）がこの加飾印刷４１により隠蔽されていて視認（目視確認）できない位置とされる。」
イ
「【００２８】
　なお、上記の実施形態の液晶表示装置においては、図１に示すようなタッチパネル３０が液晶表示ユニット２０の前面に備えられた場合について説明したが、タッチパネルとしては、図２に示すようなタッチパネル３０ａ又は図３に示すようなタッチパネル３０ｂであってもよい。
　図２に示すタッチパネル３０ａが図１に示すタッチパネル３０と異なるところは、
第２の透光性基板３１の外面側の外周部に第１と第２の印刷回路３７、３８を隠蔽する加飾印刷シート４１ａが形成され、第２の透光性基板３１の内面側の外周部に第２の透明導電膜３３と接続された第２の印刷回路３７が形成されている点である。
　加飾印刷シート４１ａは、平面視矩形枠状のシート状フィルム４４ａにスクリーン印刷、グラビア印刷、オフセット印刷等の印刷法や、転写法、あるいは蒸着法により模様、文字、マーク、絵柄等の加飾印刷層４４ｂが形成されたものであり、厚みが非常に薄いものである。さらに加飾印刷層４４ｂの下面側に粘着層（図示略）が形成されている。この加飾印刷シート４１ａの厚みとしては、例えば０．０１５ｍｍ〜０．３ｍｍ程度とされる。
【００２９】
　第２の透光性基板３１の外面に設ける前の加飾印刷シート４１ａは、上記粘着層側の面が支持シートに貼着されており、この支持シートを剥離後に上記粘着層側の面を第２の透光性基板３１の外面に貼り付けることで、第２の透光性基板の外面に加飾印刷シート４１ａを形成することができる。
　この加飾印刷シート４１ａは第２の透光性基板３１の外面側に形成されているので、第２の透光性基板３１の内面側には図１のタッチパネル３０で設けていたようなオーバーコート層４２は形成されていない。
　また加飾印刷シート４１ａは、上記のように厚みが薄いものであるので、上記第２の透光性基板３１の外面とこの加飾印刷シート４１ａとの段差も殆どできないため、図２のタッチパネル３０ａは、タブレットの外面にベゼル等の枠体を設けた従来タイプと比べて薄型とすることできる。
【００３０】
　図３に示すタッチパネル３０ｂが図１に示すタッチパネル３０と異なるところは
、第２の透光性基板３１の外面側の外周部に第１と第２の印刷回路３７、３８を隠蔽する加飾印刷シート４１ｂが形成され、第２の透光性基板３１の内面側の外周部に第２の透明導電膜３３と接続された第２の印刷回路３７が形成されている点である。
　加飾印刷シート４１ｂは、平面視矩形のシート状フィルム４４ａ’の外周部ににスクリーン印刷、グラビア印刷、オフセット印刷等の印刷法や、転写法、あるいは蒸着法により模様、文字、マーク、絵柄等の加飾印刷層４４ｂが平面視矩形枠状に形成されたものであり、厚みが非常に薄いものである。これらシート状フィルム４４ａ’と加飾印刷層４４ｂの下面側に粘着層４４ｃが形成されている。この加飾印刷シート４１ｂが図２の加飾印刷シート４１ｂと特に異なる点は、シート状フィルムの形状が平面視矩形状であることと、粘着層４４ｃがシート状フィルム４４ａ’の下面と加飾印刷層４４ｂの下面を覆うように形成されている点である。よって、粘着層４４ｃは、透明性に優れ、貼り付け時の気泡除去性が良いものが望ましい。
　この加飾印刷シート４１ｂの厚みとしては、例えば０．０１５ｍｍ〜０．３ｍｍ程度とされる。」
　下線部の記載によれば、引用文献５には、「タッチパネルにおいて、透光性基板の内面側に透明導電膜と、該透明導電膜と接続された印刷回路とを設け、透光性基板の外面側の外周部に印刷回路を隠蔽する加飾印刷シートを形成する。」という技術的事項が記載されているといえる。
第５　対比・判断
１　本願発明１について
（１）対比
　本願発明１と引用発明とを対比すると、次のことがいえる。
ア　
　引用発明の「タッチスクリーン３５４」は、相互静電容量の感知によるものであるから、引用発明の「タッチスクリーン３５４」と「上面のガラス３５６」と「底面のガラス３６０」とで構成されるものは、本願発明１と同様に、「静電容量タッチパネル」であるといえる。
イ
　引用発明の「上面のガラス３５６」の上面は、指等が接触する面であるから、引用発明の「上面のガラス３５６」と本願発明１の「物理的触覚入力を受ける第１の表面と、第２の表面とを有する単一基板」とは、「物理的触覚入力を受ける第１の表面と、第２の表面とを有する基板」である点で共通する。
ウ
　引用発明の「マスク層３７２」は、「上面のガラス３５６」の内側部分に印刷され、「タッチ・スクリーン」の縁部に配置された「相互接続を隠してＬＣＤディスプレイ３５２とタッチ・スクリーン３５４のアクティブなエリアのみを視界に残す役割を果たす」から、引用発明の「マスク層３７２」と本願発明１の「センシング領域を規定するよう、前記単一基板の前記第２の表面の外周部に形成されたマスク層」とは、「センシング領域を規定するよう、前記基板の前記第２の表面の外周部に形成されたマスク層」である点で共通する。
エ
　引用発明の「駆動ライン３７６」と「感知ライン３７８」とは、交差するものであり、それぞれ、本願発明１の「第１のセンス回路」と「第２のセンス回路」とに相当する。
　そして、引用発明の「駆動ライン３７６と感知ライン３７８を含み、駆動ライン３７６は上面のガラス３５６とマスク３７６の上に配置され、感知ライン３７８は底面のガラス３６０上に配置され、駆動ライン３７６と感知ライン３７８はスペーサ３８０を介して互いに絶縁された」「感知層３５８」は、本願発明１の「前記物理的触覚入力を検出するセンス回路」であって、「前記センス回路が、第１のセンス回路と、交差エリアにおいて前記第１のセンス回路と交差する第２のセンス回路と、前記第１のセンス回路と前記第２のセンス回路とを絶縁する絶縁層と、を備え」る構成に相当するものといえる。
　したがって、本願発明１と引用発明との間には、次の一致点、相違点があるといえる。
［一致点］
「静電容量タッチパネルであって、
　物理的触覚入力を受ける第１の表面と、第２の表面とを有する基板と、
　センシング領域を規定するよう、前記基板の前記第２の表面の外周部に形成されたマスク層と、
　前記物理的触覚入力を検出するセンス回路と、
を含み、
　前記センス回路が
　第１のセンス回路と、
　交差エリアにおいて前記第１のセンス回路と交差する第２のセンス回路と、
　前記第１のセンス回路と前記第２のセンス回路とを絶縁する絶縁層と、を備える、
静電容量タッチパネル。」
［相違点］
（相違点１）
　「絶縁層」が、本願発明１では、第１のセンス回路と第２のセンス回路との交差エリアのみに形成されるのに対し、引用発明では、交差エリアのみに形成されるとは特定されていない点。
（相違点２）
　本願発明１では、「基板」が、「物理的触覚入力を受ける第１の表面と、第２の表面とを有する単一基板」であり、「前記マスク層、前記第１のセンス回路、前記第２のセンス回路、及び前記絶縁層が前記単一基板の前記第２の表面に一体に形成され」るのに対し、引用発明では、「前記マスク層、前記第１のセンス回路」は、「上面のガラス」に形成され、「第２のセンス回路」は、「底面のガラス」に形成され、「絶縁層」は、「第１のセンス回路」と「第２のセンス回路」との間を絶縁するスペーサとして形成される点。
（２）相違点についての判断
　上記相違点１，２について検討する。
　「第４　引用文献、引用発明等」の「２　引用文献２について」、「３　引用文献３について」に記載のとおり、引用文献２には、「ガラス等の透明基板上にｍ本の透明のＸ電極を互いに平行に配設し、Ｘ電極群と交叉するようにｎ本の透明のＹ電極を互いに平行に配設し、Ｘ電極群とＹ電極群との交叉部分に透明絶縁膜を設けたセンサパネル。」という技術的事項が記載され、引用文献３には、「ガラス基板の基板表面に、透明な第一軸方向同電線と、透明な第二軸方向導電線とを設け、第一軸方向導電線のグループと第２軸方向導電線のグループとは、互いに直交し、第一軸方向導電線と第二軸方向導電線との間には、絶縁被覆層を設けた静電容量式タッチパッド。」という技術的事項が記載されているように、単一の基板に第１のセンス回路、第２のセンス回路とを形成し、交差部分のみに絶縁層を設けることは、本願優先日前に周知技術であったといえる。
　しかしながら、物理的触覚入力を受ける単一の基板の第２の表面に、第１のセンス回路、第２のセンス回路、絶縁層、マスク層を一体に形成することは、引用文献１〜５のいずれにも、記載も示唆もされておらず、引用発明における「底面のガラス３６０」に形成された「第２のセンス回路」と、スペーサとして形成された「絶縁層」とを、「上面のガラス３５６」側に一体に形成するという構成を採用する動機付けもないから、当業者といえども、引用発明及び引用文献２〜５に記載された技術的事項から、相違点２に係る本願発明１の「前記マスク層、前記第１のセンス回路、前記第２のセンス回路、及び前記絶縁層が前記単一基板の前記第２の表面に一体に形成」するという構成を容易に想到し得たものとすることはできない。
２　本願発明２について
　本願発明２は、本願発明１を減縮した発明であり、本願発明１の「前記マスク層、前記第１のセンス回路、前記第２のセンス回路、及び前記絶縁層が前記単一基板の前記第２の表面に一体に形成」すると同一の構成を備えるものであるから、本願発明１と同じ理由により、当業者であっても、引用発明及び引用文献２〜５に記載された技術的事項に基づいて容易に発明をすることができたとはいえない。
３　本願発明３について
　本願発明３は、本願発明１の「前記マスク層、前記第１のセンス回路、前記第２のセンス回路、及び前記絶縁層が前記単一基板の前記第２の表面に一体に形成」すると同一の構成を備えるものであるから、本願発明１と同じ理由により、当業者であっても、引用発明及び引用文献２〜５に記載された技術的事項に基づいて容易に発明をすることができたとはいえない。
４　本願発明４〜１６について
　本願発明４〜１６は、それぞれ本願発明１〜３を減縮した発明であり、本願発明１の「前記マスク層、前記第１のセンス回路、前記第２のセンス回路、及び前記絶縁層が前記単一基板の前記第２の表面に一体に形成」すると同一の構成を備えるものであるから、本願発明１と同じ理由により、当業者であっても、引用発明及び引用文献２〜５に記載された技術的事項に基づいて容易に発明をすることができたとはいえない。
第６　むすび
　以上のとおり、本願発明１〜１６は、当業者が引用発明及び引用文献２〜５に記載された技術的事項に基づいて容易に発明をすることができたものではない。したがって、原査定の理由によっては、本願を拒絶することはできない。
　また、他に本願を拒絶すべき理由を発見しない。
　よって、結論のとおり審決する。